(57)【要約】  本発明は、音声・映像コンテンツを含む信号をプレゼンテーションする装置（6）であって、コンテンツをプレゼンテーションする手段（15）、及び信号を受信するために該装置の外部にある伝送チャネル（4）に接続する手段（14）を有する装置に関する。本発明に係る装置は、プレゼンテーション手段（15）と同一の容器内に配置された伝送モジュール（16）を有し、この伝送モジュールは、第１の識別情報（ＬＬＩ）を記憶する手段（20）を有し、接続手段（14）の信号を受信し、第１の識別情報（ＬＬＩ）が、信号に含まれる第２の識別情報（ＧＬＩ）に一致する場合にのみ、信号をプレゼンテーション手段（15）に送信する。音声・映像コンテンツを含む信号をプレゼンテーションするシステム及び方法も開示される。
2008520140.tif 000002
【特許請求の範囲】
【請求項１】
音声・映像コンテンツを含む信号のプレゼンテーション装置であって、このコンテンツのプレゼンテーション手段、及び信号を受信するための、当該装置外部の伝送チャネルへの接続手段を有し、
前記プレゼンテーション手段と同一の容器に搭載され、且つ第１の識別情報の記憶手段を有する、信号の伝送モジュールであり、前記接続手段から信号を受信して、前記第１の識別情報が、信号に含まれる第２の識別情報に一致する場合にのみ、信号を前記プレゼンテーション手段に伝送することに適した伝送モジュール、を有することを特徴とする装置。
【請求項２】
前記第２の識別情報は権限放送区域情報を有することを特徴とする請求項１に記載の装置。
【請求項３】
当該プレゼンテーション装置によって受信された信号に含まれる前記第２の識別情報は、如何なる改変に対しても特に暗号化によって保護されていることを特徴とする請求項１又は２に記載の装置。
【請求項４】
前記伝送モジュール内に記憶された前記第１の識別情報は、その前に前記プレゼンテーション手段によってプレゼンテーションされた信号に含まれていた前記第２の識別情報を有することを特徴とする請求項１乃至３の何れか一項に記載の装置。
【請求項５】
前記伝送モジュールは：
信号に含まれる前記第２の識別情報を読み取る手段、
前記第１の識別情報を前記第２の識別情報と比較する手段、及び
前記第１の識別情報が前記第２の識別情報に一致するとき、前記接続手段によって受信された信号を前記プレゼンテーション手段に伝送することに適した監視手段、
を有することを特徴とする請求項１乃至４の何れか一項に記載の装置。
【請求項６】
前記監視手段は、前記第１の識別情報及び前記第２の識別情報の要素が整合しないとき、設定された回数、前記第１の識別情報を前記第２の識別情報で置き換えるのに適していることを特徴とする請求項５に記載の装置。
【請求項７】
最後の置き換え前に、前記監視手段は、前記第１の識別情報の最後の置き換えと、この第１の識別情報を置き換えないこととの間の選択要求を含むメッセージを、前記プレゼンテーション手段に送ることができることを特徴とする請求項６に記載の装置。
【請求項８】
最後の置き換え後、前記監視手段は、前記第２の識別情報が前記第１の識別情報と整合しないとき、信号のコンテンツは視聴されることができないことをユーザに通知するメッセージを、前記プレゼンテーション手段に送ることができることを特徴とする請求項６又は７に記載の装置。
【請求項９】
音声・映像コンテンツを含む信号のプレゼンテーションシステムであって、アクセス装置、一端が前記アクセス装置に接続された伝送チャネル、及び前記伝送チャネルの他端に接続されたプレゼンテーション手段を有し：
前記アクセス装置は、信号受信手段、復号化された信号を生成することに適した信号復号化手段、及び復号化された信号を前記伝送チャネルによって前記プレゼンテーション装置に送信する手段を有し、且つ
前記プレゼンテーション装置は請求項１乃至８の何れか一項によって特徴付けられ、前記アクセス装置によって送信された復号化された信号を受信可能である、
ことを特徴とするシステム。
【請求項１０】
前記復号化手段は、信号に含まれる前記第２の識別情報を保存すること、又は前記プレゼンテーション装置へのこの情報の送信のためにこの情報を抽出した後にこの情報を再挿入することに適していることを特徴とする請求項９に記載のシステム。
【請求項１１】
音声・映像コンテンツを含む信号をプレゼンテーションする方法であって、連続的に、
アクセス装置によって信号を復号化する段階、
復号化された信号を前記アクセス装置からプレゼンテーション装置の接続手段に、該プレゼンテーション装置外部の伝送チャネルによって伝送する段階、
信号に含まれる第２の識別情報が、前記プレゼンテーション装置の記憶手段に記憶された第１の識別情報に一致する場合にのみ、前記接続手段の復号化された信号を、前記プレゼンテーション装置に含まれるプレゼンテーション手段に伝送する段階、及び
先行段階にて伝送が行われた場合に、前記プレゼンテーション装置の前記プレゼンテーション手段によって信号の音声・映像コンテンツを表示する段階、
を有することを特徴とする方法。
【発明の詳細な説明】
【技術分野】
【０００１】
本発明は、音声・映像コンテンツをプレゼンテーションする装置、システム及び方法に関する。具体的には、本発明は、音声・映像コンテンツを含む信号をプレゼンテーションする装置、このコンテンツのプレゼンテーション手段、及び信号の受信のための装置外部の伝送チャネルへの接続手段に関する。
【背景技術】
【０００２】
音声・映像コンテンツの提供者は、これらの信号の放送を定められた地理的区域に限定している。例えば、米国の一部の州では、ホッケーの試合の放送はその試合が行われているスタジアムの周囲100kmを超える地理的区域に限定されている。
【０００３】
この目的のため、範囲を定められた地理的区域上空の衛星によって音声・映像信号を放送したり、ケーブルにより伝送される音声・映像信号内で権限を与えられた放送地理的区域の情報を伝送したりする方法が知られている。
【０００４】
プレゼンテーション装置の上流に接続された、例えば復号化ユニット等のアクセス装置はこれらの信号を受信し、権限放送区域の情報がメモリ内にあるかどうかを照合する。この情報が整合するとき、アクセス装置は音声・映像信号を処理し、それをプレゼンテーション装置に送信する。
【０００５】
故に、特許文献１には、メモリ内に記憶された権限地理的区域情報をメモリ内に記憶された地理的区域情報と比較し、これら２つの情報の要素が整合するときに信号を画面に送るのに適した装置が記載されている。
【０００６】
しかしながら、権限放送区域が区域の境界内であることを照合し、例えば長距離ネットワーク上での伝送によって、他の地理的区域に位置する遠隔の画面に信号を送ることが可能であるので、この装置は信頼できないものである。
【特許文献１】国際公開第０３／０８８６６４号パンフレット
【発明の開示】
【発明が解決しようとする課題】
【０００７】
本発明は、音声・映像コンテンツがプレゼンテーション装置のある地理的区域に放送されるためのものでないときに、そのコンテンツのプレゼンテーションを阻止するプレゼンテーション装置を提供することを目的とする。
【課題を解決するための手段】
【０００８】
上記課題に鑑み、本発明の一態様に従った上述の種類のプレゼンテーション装置は：
−  プレゼンテーション手段と同一の容器に搭載され、且つ第１の識別情報の記憶手段を有する、信号の伝送モジュールであり、接続手段から信号を受信して、第１の識別情報が、信号に含まれる第２の識別情報に一致する場合にのみ、信号をプレゼンテーション手段に送信することに適した伝送モジュールを有する、
ことを特徴とする。
【０００９】
特定の実施形態に従って、このプレゼンテーション装置は以下の特徴の１つ又は複数を有する：
−  第２の識別情報は権限放送区域情報を有する、
−  当該プレゼンテーション装置によって受信された信号に含まれる第２の識別情報は、如何なる改変に対しても特に暗号化によって保護されている、
−  伝送モジュール内に記憶された第１の識別情報は、その前にプレゼンテーション手段によってプレゼンテーションされた信号に含まれていた第２の識別情報を有する、
−  伝送モジュールはまた：
−  信号に含まれる第２の識別情報を読み取る手段、
−  第１の識別情報を第２の識別情報と比較する手段、及び
−  第１の識別情報が第２の識別情報に一致するとき、接続手段によって受信された信号をプレゼンテーション手段に伝送する特有の監視手段、
を有する、
−  監視手段は、第１の識別情報及び第２の識別情報の要素が整合しないとき、設定された回数、第１の識別情報を第２の識別情報で置き換えるのに適している、
−  最後の置き換え前に、監視手段は、第１の識別情報の最後の置き換えと、この第１の識別情報を置き換えないこととの間の選択要求を含むメッセージを、プレゼンテーション手段に送ることができる、
−  最後の置き換え後、監視手段は、第２の識別情報が第１の識別情報と整合しないとき、信号のコンテンツは視聴されることができないことをユーザに通知するメッセージを、プレゼンテーション手段に送ることができる。
【００１０】
本発明の他の一態様に従った音声・映像コンテンツを含む信号のプレゼンテーションシステムは、アクセス装置、一端がアクセス装置に接続された伝送チャネル、及び伝送チャネルの他端に接続されたプレゼンテーション手段を有し：
−  アクセス装置は、信号受信手段、復号化された信号を生成するのに適した信号復号化手段、及び復号化された信号を伝送チャネルによってプレゼンテーション装置に送信する手段を有し、且つプレゼンテーション装置はアクセス装置によって送信された復号化された信号を受信することができる、
ことを特徴とする。
【００１１】
特定の一実施形態に従って、このシステムは以下の特徴を有する：
−  復号化手段は、信号に含まれる第２の識別情報を保存すること、又はプレゼンテーション装置へのこの情報の送信のためにこの情報を抽出した後にこの情報を再挿入することに適している。
【００１２】
本発明の他の一態様に従った音声・映像コンテンツを含む信号をプレゼンテーションする方法は、以下の連続的な段階を有することを特徴とする：
−  アクセス装置によって信号を復号化する段階、
−  アクセス装置の復号化された信号をプレゼンテーション装置の接続手段に、プレゼンテーション装置外部の伝送チャネルによって伝送する段階、
−  信号に含まれる第２の識別情報が、プレゼンテーション装置の記憶手段に記憶された第１の識別情報に一致する場合にのみ、接続手段の復号化された信号を、プレゼンテーション装置に含まれるプレゼンテーション手段に伝送する段階、及び
先行段階にて伝送が行われた場合に、プレゼンテーション装置のプレゼンテーション手段によって音声・映像コンテンツを表示する段階。
【００１３】
本発明は、単に情報目的で提供され且つ添付図面を参照する以下の説明によって、より十分に理解されるであろう。
【発明を実施するための最良の形態】
【００１４】
説明される本発明の実施形態において、音声・映像信号は、例えば音楽の引用及び／又は映像のシーケンス等のメインコンテンツとともに、ＧＬＩと表される権限放送区域情報を含んでいる。
【００１５】
この情報は、例えば、規格ISO3166-1:1997にて定義された国コードリストにて指定されているような、国を表す２文字のコードを含んでいる。この情報は、例えば地理的な領域又は複合体を表す２文字のコード、幾つかの国を表す幾つかのコードの組又は１つのコード（例えば、スペインの“ＥＳ”及びイタリアの“ＩＴ”を含む相異なるコードの組に対応する欧州のコード“ＥＰ”）のように、単純なものにし得る。
【００１６】
この権限放送区域情報ＧＬＩは、例えば、デジタルで入れ込むこと（digital  tattooing）によって、あるいは優先的に、コンテンツに関連付けられた全てのデジタル著作権を含むライセンスに含められることによって、音声・映像信号を形成するメインコンテンツに付加される。
【００１７】
なお、ＧＬＩ情報は如何なる改変に対しても、特に暗号化によって、保護されたコンテンツ内で伝送される。
【００１８】
ＧＬＩ情報の完全性を確保するため、この情報は特に、暗号化されたデータパケット、署名されたデータパケット、又はデータハッシュ関数の適用によって作成されたデータの要約が添付されたデータパケットにて伝送される。
【００１９】
図１は、本発明に従った音声・映像コンテンツのプレゼンテーションシステム1を示している。この図は、例えばデジタル復号化ユニットであるアクセス装置2、通信チャネル4、及び例えばデジタルテレビセットであるプレゼンテーション装置6を含んでいる。復号化ユニット2はシステム1によって受信される何らかのコンテンツ搬送信号の入力ソースである。この目的のため、復号器2は受信手段10及び表示信号の送信手段11を有しており、それらはそれぞれ、伝送ライン12及び通信チャネル4に接続されている。伝送ライン12は無線波又は“地上”波を受信するアンテナ、デジタルネットワーク、又は衛星アンテナに接続されている。伝送ライン12上を運ばれる音声・映像信号はＧＬＩ情報を含んでいる。
【００２０】
アクセス装置2は色々なソースから到来する表示信号を復号化するのに適したものである。この目的のため、アクセス装置2は、入力が受信手段10に接続され且つ出力が送信手段11に接続された信号復号化手段13を有している。復号化手段13は、従来技術にて知られているように、受信したデジタル信号を復号化することができる。
【００２１】
復号化手段13は、受信信号内に含まれる権限放送区域情報ＧＬＩの情報と所定の区域との一致を照合するのには適していない。
【００２２】
実際、この照合がプレゼンテーションシステム1内の復号化ユニット2の段階で実行される場合、この照合は復号化ユニット2及びプレゼンテーション装置6が同一の場所、又は如何なる場合も同一地理的区域内にある場合にのみ有効となる。しかしながら、例えば通信チャネル4としてインターネットを用いるなどにより、アクセス装置2及びプレゼンテーション装置6が相異なる地理的区域に位置する場合には、ＧＬＩ情報は復号化ユニット2の地理的区域とは一致し得るが、信号が表示されるデジタルテレビセット6の区域とは一致しない。従って、有利には本発明に従って、信号に含まれるＧＬＩ情報の照合は信号のプレゼンテーション装置6にて実行される。
【００２３】
故に、復号化の後、復号化ユニットの送信手段11は復号化された表示信号をデジタルテレビセット6に送信する。なお、復号化された表示信号は依然としてＧＬＩ情報を含んでいる。また、無権限区域からコンテンツにアクセスできるようにプレゼンテーションシステム1のユーザがＧＬＩ情報を不正に改変できないように、ＧＬＩ情報は保護された手法で送られる。この目的のため、復号化手段13は信号に含まれる第２のＧＬＩ識別情報を保存したり、あるいはプレゼンテーション装置6にこのＧＬＩ情報を送信するためにこの情報を抽出した後にこの情報を再挿入したりするのに適したものとされる。
【００２４】
通信チャネル4は復号化ユニット2のテレビセット6へのリンクを提供する。通信チャネル4は、例えば光ファイバ又は非対称デジタル加入者ループ等のデジタルデータの長距離伝送ラインの如何なる種類で構成されていてもよいし、対照的に、例えば同軸ケーブル又はIEEE1394.1規格準拠のバス等の如何なる種類の短距離ラインで構成されていてもよい。
【００２５】
デジタルテレビセット6は、チャネル4から受信される復号化された表示信号を最終ユーザにプレゼンテーションされる音声・映像コンテンツに変換するのに適したものである。
【００２６】
デジタルテレビセット6は、チャネル4への接続手段14、伝送モジュール16に接続されたコンテンツプレゼンテーション手段15を有している。
【００２７】
接続手段14は復号化ユニット2によって要求に応じて送信された復号化された表示信号を受信し、その信号を伝送モジュール16に送るのに適したものである。
【００２８】
プレゼンテーション手段15は復号化された信号のコンテンツを表示及び／又は復元するのに適したものである。プレゼンテーション手段15は例えば画面及び／又はスピーカによって形成されている。
【００２９】
伝送モジュール16は、ＬＬＩと表される放送区域情報要素が信号に含まれるＧＬＩ放送区域情報と（単純な国コードの場合）同一である、あるいは（複合国コードの場合）対応する場合にのみ、復号化された信号を表示手段15に伝送することができる。
【００３０】
この目的のため、モジュール16は、接続手段14に接続された読み取り手段18とメモリ20とを有している。
【００３１】
読み取り手段18は、信号に含まれる権限放送区域情報ＧＬＩを読み取ること、又はそれを例えば分離すること（demultiplexing）によって抽出することができる。
【００３２】
メモリ20はＬＬＩ放送区域の情報を記憶するのに適したものである。メモリ20はＥＥＰＲＯＭ（電気的に消去可能なプログラマブル読み出し専用メモリ）型又はそれと同等な型式の不揮発性メモリを有している。メモリ20はテレビセット6の最初の使用時には空白であるか、テレビセット6の製造者によって予備記録されたＬＬＩ放送区域を有している。
【００３３】
伝送モジュール16はまた、比較手段22、監視手段24及びカウンタ26を有している。
【００３４】
比較手段22は、復号化された表示信号に含まれるＧＬＩ放送区域情報を、メモリ20に記録されているＬＬＩ放送区域情報と比較し、ＧＬＩ区域情報がメモリ20に記録されているＬＬＩ区域の情報と一致するときに監視手段24に有効信号を供給するのに適したものである。
【００３５】
この目的のため、比較手段22の入力は読み取り手段18とメモリ20とに接続されている。比較手段22の出力は監視手段に接続されている。
【００３６】
監視手段24は、比較手段22によって発生された有効信号を受信したとき、復号化された表示信号のプレゼンテーション手段15への伝送を許可すること、及び比較手段22によって発生された無効信号を受信したとき、この伝送を阻止することができる。
【００３７】
監視手段24は表示信号を受け取るために読み取り手段18に接続されており、また、この信号をプレゼンテーション手段15に送信するためにプレゼンテーション手段15に接続されている。
【００３８】
具体的には、プレゼンテーション手段15は、監視手段24のみから直接的に到来する復号化された表示信号を受信するのに適したものである。監視手段24とプレゼンテーション手段15との間の接続は、復号化された表示信号の入力を許可する接続を有していない。
【００３９】
また、監視手段24は、メモリ20に記録されたＬＬＩ放送区域情報及び信号に含まれるＧＬＩ放送区域情報の要素が整合しないときに、メモリ20に記録されたＬＬＩ放送区域情報を信号に含まれるＧＬＩ放送区域情報で置き換えるのに適したものである。この置き換えはユーザの介入なしで行われる。これは、しかしながら、権限地理的区域の変更の数に対応する所定の行い得る置き換えの最大数に制限される。
【００４０】
この目的のため、監視手段24はメモリ20と、許可された置き換えの残数ＲＬＣの計数カウンタ26とに接続されている。
【００４１】
このカウンタ26は許可された最大置き換え数で初期化されており、メモリ20に記憶されたＬＬＩ放送区域情報が信号に含まれる異なるＧＬＩ放送区域情報によって置換されるたびに、監視手段24からのコマンドにより減少されることができる。
【００４２】
監視手段24は、本明細書の残りの部分にて説明されるように、メモリ20に記録されたＬＬＩ放送区域情報の、復号化された信号に含まれるＧＬＩ放送区域情報による置き換えの、可能な最後の一回を行うことをユーザが許可したり拒否したりできるように、例えば遠隔制御又は選択スイッチによって構成された、選択手段28に接続されている。
【００４３】
動作時、図２に示された段階42にて、復号化ユニットの受信手段10が伝送ライン12による例えばＭＰＥＧ２フォーマットの表示信号を受信する。そして、この表示信号は復号化手段に伝送される。
【００４４】
段階44にて、復号化手段13が表示信号を復号化する。このように復号化された信号は依然としてＧＬＩ放送区域情報を含んでいる。
【００４５】
復号化手段13はまた、音声・映像コンテンツが有料のとき音声・映像コンテンツ提供者のサーバと通信し、内部ネットワークに固有のフォーマットに従って表示信号を暗号化し、場合により、ドメスチックのネットワークのため、長距離ネットワーク型の信号のプロトコルを短距離ネットワーク型（ＬＡＮローカルエリアネットワーク）のプロトコルに変換し、且つ／或いは、テレビセット6がアナログ式のテレビセットであるときデジタル信号をアナログ信号に変換することができる。
【００４６】
段階46にて、送信手段11がチャネル4により、表示信号と該信号に含まれるＧＬＩ情報とをテレビセット6に送信する。
【００４７】
そして、段階48にて、接続手段14がこの信号を受信する。
【００４８】
段階50にて、読み取り手段18が、復号化された表示信号から放送区域情報ＧＬＩを読み取るか抽出するかして、一方でこのＧＬＩ情報を比較手段22に、他方で音声・映像コンテンツを監視手段24に伝送する。
【００４９】
段階52にて、比較手段22が、読み取り手段18によって読み出されたＧＬＩ放送区域情報をメモリ20に記録されたＬＬＩ地理的区域情報と比較する。
【００５０】
例えばテレビセット6の初めての使用時のように、ＬＬＩ地理的区域情報がメモリ20に全く記録されていないとき、比較手段22は監視手段24に、ＧＬＩ情報とＬＬＩ情報との一致を表す有効信号を送信する。
【００５１】
記憶されたＬＬＩ情報がＧＬＩ信号からの情報に一致するとき、比較手段22は監視手段24に有効信号を送信する。この有効信号を受信すると、段階54にて、監視手段24は音声・映像コンテンツをプレゼンテーション手段15へと送る。
【００５２】
このコンテンツの表示後、当該方法は段階48へと進み、接続手段14は新たな復号化された信号の受信を待つ。
【００５３】
ＬＬＩ記憶情報が信号からのＧＬＩ情報と一致しないとき、比較手段22は監視手段24に無効信号を送信し、当該方法は段階56へと進む。
【００５４】
段階56にて、許可された置き換え数の残数ＲＬＣが１より大きいかどうかを決定するため、監視手段24がカウンタ26を調査する。
【００５５】
このＲＬＣ数が１より大きいとき、段階58にて、監視手段24はカウンタ26がＲＬＣ数を減少させるようにカウンタ26にパルスを送る。並行して、監視手段24は信号からのＧＬＩ情報をメモリ20に送り、それまで記憶されていたＬＬＩ情報を信号からのＧＬＩ情報で置き換える。
【００５６】
次に、段階54にて、監視手段24は読み取り手段18による音声・映像コンテンツを表示手段15へと送る。
【００５７】
メモリ20に記憶されたＬＬＩ放送区域情報が、例えば欧州の“ＥＰ”のような複合地理的区域コードであり、且つ信号が、例えばドイツのコード“ＤＥ”等の欧州の国に対応する単純なＧＬＩ地理的区域コードを有するとき、ＲＬＣは減少されない。
【００５８】
メモリ20に記憶されたＬＬＩ放送区域情報が、例えばイタリアのコード“ＩＴ”等の単純な地理的区域コードであり、且つ信号が、欧州に対応する複合ＧＬＩ地理的区域コードを有するときも、ＲＬＣは減少されない。この場合、メモリ20に記憶されたＬＬＩ情報は単純な地理的区域コード“ＩＴ”のままにされる。このＬＬＩ情報は欧州に対応する複合コードによって置き換えられない。
【００５９】
ＲＬＣ数が１より大きくないとき、段階60にて、監視手段24はこの数が１に等しいかを確認する。
【００６０】
この数が１に等しくない、故に０であるとき、メモリ20に記憶されたＬＬＩ情報はもはや置き換えられることができない。この場合、監視手段24は段階62にて、表示信号のＧＬＩ放送区域がテレビセットに記憶されたＬＬＩ情報と整合しないので表示信号のコンテンツは表示不可能であるとユーザに通知するメッセージをプレゼンテーション手段15に送る。
【００６１】
次に、当該手順は段階48へと戻り、接続手段14は新たな表示信号の受信を待つ。
【００６２】
ＲＬＣ数が１に等しいとき、監視手段24は段階64にて、情報メッセージを表示手段15に送る。このメッセージはユーザに、メモリ20に記録されたＬＬＩ権限放送区域情報の情報を置き換えることができるのは１度しか残っていないことを警告し、３つの選択肢を提案する。
【００６３】
選択肢ａ）によれば、メモリ20に記録されたＬＬＩ放送区域情報は、信号からのＧＬＩ放送区域情報によって置き換えられる。このとき、ユーザは再度この情報を置き換えることができなくなる。
【００６４】
選択肢ｂ）によれば、メモリ20に記録されたＬＬＩ放送区域情報は置き換えられず、ユーザは復号化された表示信号のコンテンツを表示することができない。
【００６５】
選択肢ｃ）によれば、ユーザ選択は保留され、復号化された表示信号のコンテンツは表示されない。
【００６６】
ユーザが選択手段28を用いて選択肢ａ）を選択すると、監視手段24は段階66にて、ＲＬＣ数が０になるようにＲＬＣ数を減少させるパルスをカウンタ26に送る。
【００６７】
並行して、監視手段24は段階66にて、それまで記憶されていたＬＬＩ放送区域情報を置き換えることによって信号からのＧＬＩ放送情報を記録する。
【００６８】
そして、段階52にて、比較手段22が復号化された表示信号からのＧＬＩ放送区域情報とメモリ20に記録されたＬＬＩ放送区域情報との一致を照合する。この情報は段階66に従って同一であるので、比較手段22は有効信号を監視手段24に送信し、監視手段24は段階54にて、音声・映像コンテンツを表示手段15へと送る。
【００６９】
ユーザが選択手段28を用いて選択肢ｂ）又はｃ）を選択すると、カウンタ26内のＲＬＣ数及びメモリ20に記録されたＬＬＩ情報は変更されず、監視手段24は段階62にて、ユーザに復号化された表示信号のコンテンツを視聴することができないことを通知するメッセージを表示手段15に送る。
【００７０】
変形例として、プレゼンテーション手段6はスピーカであってもよい。この場合、表示信号はプレゼンテーション手段によって再生される音声信号である。
【００７１】
変形例として、アクセス装置2は、ディスク、特にＤＶＤ（デジタル多用途ディスク）上で読み取られたデータをデジタルチャネル4上でブロードキャストする光ディスク駆動装置、又はパケット伝送網（インターネット）からのデータを実時間ダウンロードによって、すなわち、コンテンツをそのダウンロード時に表示することによって受け取るように適合されたデジタル記録装置若しくはコンピュータであってもよい。
【００７２】
変形例として、アクセス装置2はコンテンツを表す信号にＧＬＩ権限放送区域情報要素を挿入するのに適したモジュールを有していてもよい。この放送区域は、例えば、このアクセス装置が販売された地理的区域に一致するものである。このアクセス装置モジュールはまた、コンテンツアクセス権を含むライセンス内のＧＬＩ情報を受け取ることができる。ライセンスは、ＤＲＭ（デジタル著作権マネジメント）として知られる著作権管理システムの枠組み内でコンテンツとは別々に送られる。
【００７３】
変形として、コンテンツ提供者によって送信される音声・映像信号は符号化され、テレビセット6の監視手段24は、信号のＧＬＩ区域情報がメモリ20に記録されたＬＬＩ区域情報と一致する場合、又は許可された地理的区域変更の最大数に到達していない場合に、それを復号化するのに適したものである。
【図面の簡単な説明】
【００７４】
【図１】本発明に従ったプレゼンテーションシステムを示す図である。
【図２】本発明に従ったプレゼンテーションシステムのフローチャートである。
【図１】
2008520140.tif 000003
【図２】
2008520140.tif 000004
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
音声・映像コンテンツを含む信号のプレゼンテーションシステムであって：
信号の受信手段、復号化された信号を生成することに適した信号の復号化手段、及び復号化された信号をプレゼンテーション装置に送信する送信手段を有するアクセス装置、
接続手段、音声・映像コンテンツのプレゼンテーション手段、及び前記プレゼンテーション手段と同一の容器に搭載され且つ第１の識別情報の記憶手段を有する信号の伝送モジュールを有するプレゼンテーション装置、
前記プレゼンテーション装置の外部にあり、前記アクセス装置の前記送信手段及び前記プレゼンテーション装置の前記接続手段に接続された伝送チャネル、
を有し、
前記復号化手段は、信号に含まれる第２の識別情報を保存すること、又は前記伝送チャネルによる前記プレゼンテーション装置の前記接続手段へのこの情報の送信のためにこの情報を抽出した後にこの情報を再挿入することが可能であり、且つ
前記伝送モジュールは、前記接続手段から信号を受信して、前記第１の識別情報が、信号に含まれる第２の識別情報に一致する場合にのみ、信号を前記プレゼンテーション手段に伝送することに適している、
ことを特徴とするシステム。
【請求項２】
前記第２の識別情報は権限放送区域情報を有することを特徴とする請求項１に記載のシステム。
【請求項３】
前記プレゼンテーション装置によって受信された信号に含まれる前記第２の識別情報は、如何なる改変に対しても特に暗号化によって保護されていることを特徴とする請求項１又は２に記載のシステム。
【請求項４】
前記伝送モジュール内に記憶された前記第１の識別情報は、その前に前記プレゼンテーション手段によってプレゼンテーションされた信号に含まれていた前記第２の識別情報を有することを特徴とする請求項１乃至３の何れか一項に記載のシステム。
【請求項５】
前記伝送モジュールは：
信号に含まれる前記第２の識別情報を読み取る手段、
前記第１の識別情報を前記第２の識別情報と比較する手段、及び
前記第１の識別情報が前記第２の識別情報に一致するとき、前記接続手段によって受信された信号を前記プレゼンテーション手段に伝送することに適した監視手段、
を有することを特徴とする請求項１乃至４の何れか一項に記載のシステム。
【請求項６】
前記監視手段は、前記第１の識別情報及び前記第２の識別情報の要素が整合しないとき、設定された回数、前記第１の識別情報を前記第２の識別情報で置き換えるのに適していることを特徴とする請求項５に記載のシステム。
【請求項７】
最後の置き換え前に、前記監視手段は、前記第１の識別情報の最後の置き換えと、この第１の識別情報を置き換えないこととの間の選択要求を含むメッセージを、前記プレゼンテーション手段に送ることができることを特徴とする請求項６に記載のシステム。
【請求項８】
最後の置き換え後、前記監視手段は、前記第２の識別情報が前記第１の識別情報と整合しないとき、信号のコンテンツは視聴されることができないことをユーザに通知するメッセージを、前記プレゼンテーション手段に送ることができることを特徴とする請求項６又は７に記載のシステム。
【請求項９】
前記復号化手段は前記プレゼンテーション装置の外部にあることを特徴とする請求項１乃至８の何れか一項に記載のシステム。
【請求項１０】
アクセス装置及びプレゼンテーション装置を含むプレゼンテーションシステムによる、音声・映像コンテンツを含む信号のプレゼンテーション方法であって、連続的に：
アクセス装置によって信号を復号化する段階であり、信号に含まれる第２の識別情報が、信号の復号化に際して保存される、あるいはこの情報の抽出後に信号に再挿入される、復号化する段階、
復号化された信号を前記アクセス装置からプレゼンテーション装置の接続手段に、該プレゼンテーション装置外部の伝送チャネルによって伝送する段階、
復号化された信号を前記プレゼンテーション装置の前記接続手段によって受信する段階、
信号に含まれる第２の識別情報が、前記プレゼンテーション装置の記憶手段に記憶された第１の識別情報に一致する場合にのみ、前記接続手段の復号化された信号を、前記プレゼンテーション装置に含まれるプレゼンテーション手段に伝送する段階、及び
先行段階にて伝送が行われた場合に、前記プレゼンテーション装置の前記プレゼンテーション手段によって信号の音声・映像コンテンツを表示する段階、
を有することを特徴とする方法。
【国際調査報告】
2008520140.tif 000005
2008520140.tif 000006
2008520140.tif 000007
2008520140.tif 000008
2008520140.tif 000009
2008520140.tif 000010